(57)【要約】【課題】  １画素よりも小さい単位で画像を微小変倍処理できるようにすると共に、画素単位の挿入間引き方式に比べて画質低下を防止できるようにする。【解決手段】  画像情報に基づいて記録媒体に画像を記録する装置であって、光源６３から照射される光を画像情報に基づいて変調するための１画素が複数の固定リボン及び可動リボンから構成されるリボンペアをＮ個並設した回折格子型のライトバルブ６５と、固定リボン及び可動リボンを１ペア毎に独立して駆動するＣＰＵ３５とを備え、ＣＰＵ３５は、微小変倍率に応じて１画素の固定リボン及び可動リボンのペア数を増減する挿入間引き制御を実行するものである。この構成によって、１画素よりも小さい単位で画像の微小変倍処理をすることができ、細線切れや、画素単位の挿入間引き方式に比べて線幅ムラ等の発生を無くすことができ、画質低下を防止できるようになる。【選択図】    図８
2007050547.tif 000002
【特許請求の範囲】
【請求項１】
画像情報に基づいて記録媒体に画像を記録する装置であって、
光源と、
前記光源から照射される光を前記画像情報に基づいて変調するための１画素が複数の固定及び可動のリボンから構成されるリボンペアをＮ個並設した回折格子型のライトバルブと、
前記固定及び可動のリボンを１ペア毎に独立して駆動する制御部とを備え、
前記制御部は、
倍率に応じて１画素の前記固定及び可動のリボンのペア数を増減する挿入間引き制御を実行することを特徴とする情報記録装置。
【請求項２】
前記制御部は、
倍率に応じて１画素を微小縮小処理する場合は、前記ライトバルブの１画素の固定及び可動のリボンの複数ペアから１ペア以上を間引き、
倍率に応じて１画素を微小拡大処理する場合は、前記ライトバルブの１画素の固定及び可動のリボンの複数ペアに１ペア以上を挿入することを特徴とする請求項１に記載の情報記録装置。
【請求項３】
１画素単位の前記画像情報を処理して当該１画素の固定及び可動リボンの複数ペア分の画像情報を出力する画像処理部と、
前記画像処理部から出力されるシリアルの画像情報に基づいて前記ライトバルブを駆動するバルブ駆動部を有することを特徴とする請求項１に記載の情報記録装置。
【請求項４】
前記画像処理部は、
前回の前記画像の記録幅に対して今回の画像の記録幅を拡大する動作を微小拡大モードとしたとき、
前記微小拡大モードが設定された場合、前記ライトバルブの１画素の固定及び可動のリボンの複数ペア分として読み出される画像情報の１ペア分以上を続けて読み出すことを特徴とする請求項３に記載の情報記録装置。
【請求項５】
前記画像処理部は、
前回の前記画像の記録幅に対して今回の画像の記録幅を縮小する動作を微小縮小モードとしたとき、
前記微小縮小モードが設定された場合に、前記ライトバルブの１画素の固定及び可動のリボンの複数ペア分として読み出される画像情報から１ペア分以上を読み棄てることを特徴とする請求項３に記載の情報記録装置。
【請求項６】
前記ライトバルブは、
前記リボンの長手方向が、当該リボンの配列方向と直交する方向に対して所定の角度を有して配置されることを特徴とする請求項１に記載の情報記録装置。
【請求項７】
１画素が複数の固定及び可動のリボンから構成されるリボンペアをＮ個並設した回折格子型のライトバルブを使用して情報を記録する情報記録方法であって、
前記ライトバルブに光を照射するステップと、
前記ライトバルブに照射された光を画像情報に基づいて前記固定及び可動のリボンを１ペア毎に独立して変調するステップと、
倍率に応じて、１画素の前記固定及び可動のリボンのペア数を増減する挿入間引き制御を実行するステップとを有することを特徴とする情報記録方法。
【請求項８】
倍率に応じて１画素を微小拡大する場合は、前記ライトバルブの１画素の固定及び可動リボンの複数ペアに１ペア以上を挿入するステップと、
倍率に応じて１画素を微小縮小する場合は、前記ライトバルブの１画素の固定及び可動リボンの複数ペアから１ペア以上を間引きするステップとを有することを特徴とする請求項７に記載の情報記録方法。
【請求項９】
前記ライトバルブは、
前記リボンの長手方向が、当該リボンの配列方向と直交する方向に対して所定の角度を有して配置されることを特徴とする請求項７に記載の情報記録方法。
【請求項１０】
像形成体と、
前記像形成体に静電潜像を記録する情報記録部と、
前記情報記録部によって前記像形成体に記録された静電潜像を可視化して画像を形成する画像形成部とを備え、
前記情報記録部は、
光源と、
前記光源から照射される光を画像情報に基づいて変調するための１画素が複数の固定及び可動のリボンから構成されるリボンペアをＮ個並設した回折格子型のライトバルブと、
前記固定及び可動のリボンを１ペア毎に独立して駆動する制御部とを有し、
前記制御部は、
倍率に応じて、１画素の前記固定及び可動のリボンのペア数を増減する挿入間引き制御を実行することを特徴とする画像形成装置。
【請求項１１】
前記制御部は、
１画素を微小拡大する場合は、倍率に応じて、前記ライトバルブの１画素の固定及び可動リボンの複数ペアに１ペア以上を挿入し、
１画素を微小縮小する場合は、倍率に応じて、前記ライトバルブの１画素の固定及び可動リボンの複数ペアから１ペア以上を間引きすることを特徴とする請求項１０に記載の画像形成装置。
【請求項１２】
１画素単位の前記画像情報を処理して当該１画素の固定及び可動リボンの複数ペア分の画像情報を出力する画像処理部と、
前記画像処理部から出力されるシリアルの画像情報に基づいて前記ライトバルブを駆動するバルブ駆動部とを有することを特徴とする請求項１０に記載の画像形成装置。
【請求項１３】
前記画像処理部は、
前回の前記画像の記録幅に対して今回の画像の記録幅を拡大する動作を微小拡大モードとしたとき、
前記微小拡大モードが設定された場合、前記ライトバルブの１画素の固定及び可動のリボンの複数ペア分として読み出される画像情報の１ペア分以上を続けて読み出すことを特徴とする請求項１２に記載の画像形成装置。
【請求項１４】
前記画像処理部は、
前回の前記画像の記録幅に対して今回の画像の記録幅を縮小する動作を微小縮小モードとしたとき、
前記微小縮小モードが設定された場合に、前記ライトバルブの１画素の固定及び可動のリボンの複数ペア分として読み出される画像情報から１ペア分以上を読み棄てることを特徴とする請求項１２に記載の画像形成装置。
【請求項１５】
前記ライトバルブは、
前記リボンの長手方向が、当該リボンの配列方向と直交する方向に対して所定の角度を有して配置されることを特徴とする請求項１０に記載の画像形成装置。
【発明の詳細な説明】
【技術分野】
【０００１】
この発明は、画像情報に基づいて情報を記録する情報記録装置、情報記録方法に関するものである。また、この発明は、この情報記録装置、方法を用いた、白黒用及びカラー用のプリンタ、ファクシミリ装置、デジタル複写機、複合機等の画像形成装置に関するものである。
【背景技術】
【０００２】
従来より、原稿から読み取って得た原稿画像データに基づいて画像を形成するデジタル複写機が広く実用化されている。この種の複写機では原稿画像がスキャナ等により読み込まれ、その原稿画像に係る原稿画像データが一旦、画像メモリに蓄えられる。その後、画像メモリから読み出された原稿画像データが画像処理され、画像処理後の原稿画像データはプリンタに転送される。プリンタでは、帯電器によって一様に帯電された感光体ドラムに、原稿画像データに基づいて静電潜像が、ポリゴンミラー等を使用した露光部により形成される。
【０００３】
この静電潜像は現像器によって現像される。このような帯電、露光、現像を行い、感光体ドラム上に形成されたトナー像が転写部によって転写紙に転写される。所定の転写紙上に転写されたトナー像は、定着器により定着される。この結果、原稿画像データに基づく画像を所定の転写紙に形成することができ、原稿画像をコピーすることができる。
【０００４】
露光部を構成する画像書込み部の一例として、ＬＥＤアレイや液晶アレイ、回折格子型ライトバルブ等の光変調素子を利用した情報記録装置が実用化、或いは提案されている。この種の情報記録装置は、配列方向（代表的には、主走査方向）に複数画素分の光調素子が並べられている。ここで、この光調素子は、個別に駆動制御できる最小単位であり、ＬＥＤアレイの場合は各ＬＥＤ素子であり、液晶アレイの場合は一対の電極で定義された液晶の領域である。また、従来の回折格子型のライトバルブの場合、光調素子は３対以上の固定及び可動リボンである。この中でも、固定リボン、可動リボンを用いた回折格子型のライトバルブは、高速駆動に対応できる利点を有する。
【０００５】
回折格子型のライトバルブに関連して、非特許文献１には、「光回折現象を利用してＤＷＤＭ通信の光パワーのばらつきを抑える」記載が開示されている。この記載のＧＬＶ（Grating Light Valve）デバイスが、高速画像書込み機能を備えた複写機の書込み系に応用される。
【０００６】
図２１は、従来例に係る回折格子型のライトバルブ６５’の１画素の構成例を示す斜視図である。図２１に示すライトバルブ６５’は、非特許文献１に見られ、リボンの配列方向と直交する方向（垂直方向）に、リボンの長手方向が配置されている。その表面は、アルミ層７で形成され、その１画素は、光源から照射される光を回折するための複数の固定リボン３及び可動リボン４を有している。１画素のライトバルブ６５’は、シリコン基板１上に共通電極２、固定リボン３及び可動リボン（電極）４を備えて構成される。固定リボン３及び可動リボン４の間には空間５が設けられる。この空間５は、可動リボン４のたわみ姿勢を発生させる領域である。
【０００７】
図２２は、ライトバルブ６５’の全体構成例を示す平面図である。図２２に示すライトバルブ６５’は、配列方向Ｉの長さがＬｘである。それに直交する方向（垂直方向）IIの幅がＷｘである。この例で、３個の固定リボン３と３個の可動リボン４とが１画素分に相当する場合、ライトバルブ６５’は、３ペアの固定リボン３及び可動リボン４がライン方向に＃Ｎ画素並べて配置され構成される。このような＃１〜＃Ｎ画素構成のライトバルブ６５’を使用し、光源から照射される光をその回折現象により回折するようになされる。なお、この種のライトバルブでは、３対以上の固定リボンと可動リボンが１画素に対応付けられ、１画素内の固定リボン、可動リボンは共通の駆動を受ける。
【０００８】
図２３は、従来例に係る、露光部を構成する画像書込み部６０’における露光原理を示す上面図である。図２３に示す画像書込み部６０’において、レーザー光源６３から出射されたレーザー光Ｌは、コリメータレンズ等の光学系６４により平行光に成形される。光学系６４により成形された平行光は、ライトバルブ６５’に入射する。ライトバルブ６５’は、ライン単位の画像データに基づいて可動リボン４を変調するように動作する。
【０００９】
このとき、可動リボン４と共通電極２との間に、画像データに基づく書込み電圧を印加すると、その電圧に応じて可動リボン４が共通電極２側にたわむ。このたわんだ可動リボン４と固定リボン３とが成す凹凸状の回折格子に、レーザー光等を入射すると、書込み電圧が印加された部分の画素では、１次回折光が反射する。書込み電圧が印加されていない部分の画素では、０次回折光が反射する。１次回折光Ｌ１は回折角θを有して回折される。
【００１０】
この例では、ライトバルブ６５’によって変調されたライン単位の０次回折光Ｌ０は、フーリエ変換（ＦＴ）レンズ６６ａ、スリット６７’及び逆フーリエ変換ミラー６６ｂ等の光学系により拡張されて感光体ドラム７１に入射する。スリット６７’にはスポット状の開口部が形成される。スリット６７’は、ＦＴレンズ６６ａと、逆フーリエ変換ミラー６６ｂとの間であって、０次回折光が焦点を結ぶ位置に設けられる。０次回折光Ｌ０は、感光体ドラム７１上で結像する。これにより、１ラインの画像データを同時に０次回折光Ｌ０により、感光体ドラム上に露光（記録）することができる。この露光の結果、感光体ドラム７１上に１ラインの静電潜像が同時に形成される。
【００１１】
図２４は、従来例に係る画像書込み系１０の構成例を示すブロック図である。図２４に示す画像書込み系１０は、画像処理部２１’、タイミング制御回路２５、ＣＰＵ３５及び画像書込み部６０を有して構成される。ＣＰＵ３５から出力される画像処理信号Ｓ１に基づいて挿入又は間引き処理を実行する。画像処理部２１’は、例えば、ワークメモリ２２、メモリ制御部３３及び挿入／間引き処理部３８を有して構成される。ワークメモリ２２には、メモリ制御信号Ｓｍに基づいて画像メモリ１３から受信した、１ページ単位の画像データＤINが格納される。ワークメモリ２２には、挿入又は間引き処理部３８が接続され、ワークメモリ２２から読み出された１画素毎の画像データＤ１に関して、挿入又は間引きモード信号Ｓ１２に基づいて画像データＤ１，Ｄ１’又はＤ１”を出力するようになされる。ここに画像データＤ１は、間引きや挿入処理をしない、通常の場合のデータである。画像データＤ１’は間引き処理をする場合のデータであり、画像データＤ１”は挿入処理する場合のデータである。
【００１２】
メモリ制御部３３は、メモリ制御信号Ｓｍや、オフセット制御信号Ｓ１１を発生し、当該信号Ｓ１１をバルブ駆動回路６８に出力するようになされる。ＣＰＵ３５にはタイミング発生回路２５が接続され、タイミング制御信号Ｓ１０に基づいて点灯／消灯制御信号Ｓ２を発生するようになされる。当該信号Ｓ２はバルブ駆動回路６８に出力される。
【００１３】
バルブ駆動回路６８は、シフトレジスタ８１、Ｄ／Ａコンバータ８２、オフセット回路８３及びスイッチング回路（ＳＷ）８４を有して構成される。シフトレジスタ８１は、シリアルの通常の画像データＤ１又は間引き／挿入処理後のシリアルの画像データＤ１’，Ｄ１”を保持（ラッチ）する。シフトレジスタ８１には、Ｄ／Ａコンバータ８２が接続される。Ｄ／Ａコンバータ８２は、Ｎ画素組分だけ準備される。Ｄ／Ａコンバータ８２は、Ｎ画素のデジタルの画像データＤ１、Ｄ１’又はＤ１”をシフトレジスタ８１からパラレルに読み出して、ライトバルブ６５’の１画素の３個の可動リボン用のアナログの画像信号Ｓout’に変換する。
【００１４】
各々のＤ／Ａコンバータ８２には、スイッチング回路８４が接続される。スイッチング回路８４には、オフセット回路８３及びタイミング発生回路２５が接続される。オフセット回路８３はオフセット制御信号Ｓ１１に基づいてオフセット電圧Ｖoffをスイッチング回路８４に出力する。
【００１５】
スイッチング回路８４では点灯／消灯制御信号Ｓ２に基づく画像書込み期間に、可動リボン用のアナログの画像信号Ｓout’に基づくオフセット電圧Ｖoffを書込み電圧Ｖｗとして、＃１〜＃Ｎ画素のライトバルブ６５’に出力する。ライトバルブ６５’では、各々の画素において、挿入／間引き処理後の書込み電圧Ｖｗに基づいてＯＮ／ＯＦＦする。このライトバルブ６５’のＯＮ／ＯＦＦ動作によってレーザー光Ｌを挿入／間引き処理を伴った変調ができるようになる。
【００１６】
図２５Ａ及びＢは、画素単位駆動方式における元画像の構成例を示す図である。
【００１７】
図２５Ａに示す画像形成例は、「縦て細線」に係る静電潜像を感光体ドラムに形成し、その後、トナー部材で静電潜像を現像し、その「縦て細線」パターンに係るトナー像（元画像Ｇ１’）を用紙に転写し定着したものである。図２５Ｂに示す拡大画像例は、図２５Ａ中の実線で囲んだ矩形部分の元画像Ｇ１’を拡大した例である。この拡大図によれば、１画素が、例えば、３ペアの固定リボン３及び可動リボン４から構成されるリボンペアにおいて、１画素の画像データＤ１をリボンペア単位に共通に供給して当該リボンペアを駆動するようになされる。
【００１８】
図２６Ａ及びＢは、間引き処理後の画像例を示す図である。図２６Ａに示す画像形成例は、画素単位駆動方式により駆動される回折格子型のライトバルブ６５’において、間引きモードが設定され、画素単位にリボンペアの駆動が間引き処理される場合である。図２６Ｂに示す拡大画像例は、図２６Ａ中の実線で囲んだ矩形部分の間引き後画像Ｇ２’を拡大した例である。この拡大図によれば、１画素が３ペアの固定リボン３及び可動リボン４から構成されるリボンペアにおいて、１画素の画像データＤ１をリボンペア単位に共通に供給して当該リボンペアを駆動するようになされるが、この例では、間引きモード設定時、１画素＝３ペアが間引かれ、画像データＤ１’に基づいて駆動される。従来方式では、１画素／３ペア分を丸々間引くようになされる。
【００１９】
図２７Ａ及びＢは、挿入処理後の画像成形例を示す図である。図２７Ａに示す画像形成例は、画素単位駆動方式により駆動される回折格子型のライトバルブ６５’において、挿入モードが設定され、挿入処理がなされる場合である。図２７Ｂに示す拡大画像例は、図２７Ａ中の実線で囲んだ矩形部分の挿入後画像Ｇ３’を拡大した例である。この拡大図によれば、１画素が３ペアの固定リボン３及び可動リボン４から構成されるリボンペアにおいて、１画素の画像データＤ１をリボンペア単位に共通に供給して当該リボンペアを駆動するようになされるが、この例では、挿入モード設定時、１画素＝３ペアが挿入され、画像データＤ１”に基づいて駆動される。従来方式では、１画素／３ペア分を丸々挿入するようになされる。
【００２０】
なお、特許文献１には、回折格子型のＧＬＶ素子を用いた画像記録装置が開示されている。この画像記録装置によれば、回折格子型のＧＬＶ素子を組み込んだ光変調アレイ素子を備えている。ＧＬＶ素子の長手方向は、光変調アレイ素子の長手方向に一致させて配置される。光変調アレイ素子の長手方向は、記録用の回転ドラムの幅方向に配列するようになされる。このように光変調アレイ素子を構成すると、高出力のレーザー光に耐え、ヒートモードの記録媒体に対して高速に画像を記録できるというものである。
【００２１】
【非特許文献１】Design Wave Magazine 2002 November（ｐ８６〜ｐ９７）
【特許文献１】特開２０００−１３１６２８号公報（第６頁  図８）
【発明の開示】
【発明が解決しようとする課題】
【００２２】
しかしながら、非特許文献１に示されるような回折格子型のライトバルブ６５’の駆動方法によると、複数ペアのリボンを１組として１画素を構成し、その１画素単位で画像を表現している（画素単位駆動方式）。一方、印字精度を要求される画像形成装置によれば、画像形成幅の絶対寸法又は用紙表面及び裏面の倍率を合わせるために、微小変倍（微小縮小又は微小拡大）処理を行う必要があるが、次のような問題がある。
【００２３】
ｉ．画素単位駆動方式によれば、その間引きモード設定時、例えば、１画素＝３ペアが間引かれて駆動される。従って、この間引き処理方法を微小変倍処理に採用した場合に、３ペア１画素分を丸々間引くようになされるので、１画素のデータが欠落し、細線が再生できなくなり、図２６Ｃに示した細線切れの原因になって画質の低下につながる。
【００２４】
ii．画素単位駆動方式によれば、その挿入モード設定時、例えば、１画素＝３ペアが挿入されて駆動される。従って、この挿入処理方法を微小変倍処理に採用した場合に、３ペア１画素分を丸々挿入されるので、１画素の隙間が目立ったり、データが重複して縦線の間隔や線幅にムラが生じ、これらが目立つようになって画質の低下につながる。
【００２５】
そこで、この発明は上述した課題を解決したものであって、１画素よりも小さい単位で画像を微小変倍処理できるようにすると共に、画素単位の挿入間引き方式に比べて画質低下を防止できるようにした情報記録装置、情報記録方法及び画像形成装置を提供することを目的とする。
【課題を解決するための手段】
【００２６】
上記課題を解決するために、請求項１に係る情報記録装置は、画像情報に基づいて記録媒体に画像を記録する装置であって、光源と、この光源から照射される光を画像情報に基づいて変調するための１画素が複数の固定及び可動のリボンから構成されるリボンペアをＮ個並設した回折格子型のライトバルブと、固定及び可動のリボンを１ペア毎に独立して駆動する制御部とを備え、制御部は、倍率に応じて１画素の固定及び可動のリボンのペア数を増減する挿入間引き制御を実行することを特徴とするものである。
【００２７】
本発明に係る情報記録装置によれば、回折格子型のライトバルブは、１画素が複数の固定及び可動のリボンから構成され、これらのリボンペアがＮ個並設されて、光源から照射される光を画像情報に基づいて変調するようになされる。制御部は、ライトバルブの固定及び可動のリボンを１ペア毎に独立して駆動する。これを前提にして、制御部は、倍率に応じて、１画素の固定及び可動のリボンのペア数を増減する挿入間引き制御を実行する。
【００２８】
例えば、制御部は、１画素を微小拡大する場合は、倍率に応じて、ライトバルブで１画素の固定及び可動リボンの複数ペアに１ペア以上を挿入し、１画素を微小縮小する場合は、倍率に応じて、ライトバルブで１画素の固定及び可動リボンの複数ペアから１ペア以上を間引きするようになされる。
【００２９】
従って、１画素よりも小さい単位で画像の微小変倍処理をすることができ、細線切れや、画素単位の挿入間引き方式に比べて線幅ムラ等の発生を無くすことができ、画質低下を防止できるようになる。
【００３０】
本発明に係る請求項７に記載の情報記録方法は、１画素が複数の固定及び可動のリボンから構成されるリボンペアをＮ個並設した回折格子型のライトバルブを使用して情報を記録する情報記録方法であって、ライトバルブに光を照射するステップと、ライトバルブに照射された光を画像情報に基づいて固定及び可動のリボンを１ペア毎に独立して変調するステップと、倍率に応じて、１画素の固定及び可動のリボンのペア数を増減する挿入間引き制御を実行するステップとを有することを特徴とするものである。
【００３１】
本発明に係る情報記録方法によれば、１画素よりも小さい単位で画像の微小変倍処理をすることができ、細線切れや、画素単位の挿入間引き方式に比べて線幅ムラ等の発生を無くすことができ、画質低下を防止できるようになる。
【００３２】
本発明に係る請求項１０に記載の画像形成装置は、像形成体と、この像形成体に静電潜像を記録する情報記録部と、この情報記録部によって像形成体に記録された静電潜像を可視化して画像を形成する画像形成部とを備え、情報記録部は、光源と、この光源から照射される光を画像情報に基づいて変調するための１画素が複数の固定及び可動のリボンから構成されるリボンペアをＮ個並設した回折格子型のライトバルブと、固定及び可動のリボンを１ペア毎に独立して駆動する制御部とを有し、制御部は、倍率に応じて、１画素の固定及び可動のリボンのペア数を増減する挿入間引き制御を実行することを特徴とするものである。
【００３３】
本発明に係る画像形成装置によれば、本発明に係る情報記録装置及び情報記録方法が応用される。画像形成時、ライトバルブの固定及び可動のリボンを１ペア毎に独立して駆動する制御部は、倍率に応じて、１画素の固定及び可動のリボンのペア数を増減する挿入間引き制御を実行する。
【００３４】
例えば、制御部は、１画素を微小拡大する場合は、倍率に応じて、ライトバルブで１画素の固定及び可動リボンの複数ペアに１ペア以上を挿入し、１画素を微小縮小する場合は、倍率に応じて、ライトバルブで１画素の固定及び可動リボンの複数ペアから１ペア以上を間引きするようになされる。
【００３５】
従って、１画素よりも小さい単位で画像の微小変倍処理することができ、画素単位の挿入間引き方式に比べて細線切れや、線幅ムラ等の発生を無くすことができる。しかも、用紙に形成される画像の大きさの絶対寸法又は両面形成時の用紙表裏倍率を合わせることができ、両面画像形成時等において画質低下を防止できるようになる。
【発明の効果】
【００３６】
本発明に係る請求項１に記載の情報記録装置及び請求項７に記載の情報記録方法によれば、回折格子型ライトバルブの固定及び可動リボンを１ペア毎に独立して駆動する制御部を備え、この制御部は、倍率に応じて、１画素の固定及び可動のリボンのペア数を増減する挿入間引き制御を実行するものである。
【００３７】
この構成によって、１画素よりも小さい単位で画像の微小変倍処理することができ、画素単位の挿入間引き方式に比べて細線切れや、線幅ムラ等の発生を無くすことができ、しかも、画質低下を防止できるようになる。
【００３８】
本発明の請求項１０に係る画像形成装置によれば、本発明に係る情報記録装置及び情報記録方法が応用されるので、回折格子型ライトバルブの固定及び可動リボンを１ペア毎に独立して駆動する制御部が、倍率に応じて、１画素の固定及び可動のリボンのペア数を増減する挿入間引き制御を実行するようになる。
【００３９】
この構成によって、１画素よりも小さい単位で画像の微小変倍処理することができ、画素単位の挿入間引き方式に比べて細線切れや、線幅ムラ等の発生を無くすことができる。しかも、用紙に形成される画像の大きさの絶対寸法又は両面形成時の用紙表裏の倍率を合わせることができ、両面画像形成時等において画質低下を防止できるようになる。
【発明を実施するための最良の形態】
【００４０】
以下、図面を参照しながら、この発明の実施例に係る情報記録装置、情報記録方法及び画像形成装置について説明をする。
【００４１】
図１は、本発明に係る実施例としての情報記録装置を応用した複写機１００の構成例を示す断面の概念図である。図１に示す白黒用の高速デジタル複写機（以下単に複写機１００という）は、画像形成装置の一例であり、原稿２０から読み取って得た画像情報を画像処理し、この画像処理後の画像データＤ１５に基づいて感光体ドラム７１に静電潜像を形成し、この静電潜像を可視化して画像を形成する装置である。複写機１００は、複写機本体１０１を有している。
【００４２】
複写機本体１０１にはスキャナを構成する原稿読取部１１が設けられ、複写機本体１０１内には制御部１５、給紙トレイ３０Ａ、３０Ｂ、画像書込み部６０、画像形成部７０等が備えられる。原稿読取部１１は自動原稿給紙装置（以下ＡＤＦという）４０を有して、所望の原稿２０を自動給紙すると共に、その原稿２０を読み取って原稿読取信号Ｓoutを出力するように動作する。
【００４３】
ＡＤＦ４０は、複写機本体上部に取り付けられる。ＡＤＦ４０は、原稿載置部４１、ローラ４２ａ、ローラ４２ｂ、ローラ４３、搬送ローラ４４及び排紙皿４６を有している。上述の原稿載置部４１には一又は複数の原稿２０が載置される。上述の原稿載置部４１の下流側にはローラ４２ａ及びローラ４２ｂが設けられ、自動給紙モードが選択されたとき、原稿載置部４１から繰り出された原稿２０は下流側のローラ４３によってＵ字回転するように搬送される。原稿読取部１１では、原稿２０がローラ４３によってＵ字状に反転するときに、その原稿２０を読み取って原稿読取信号Ｓoutを出力するようになされる。原稿２０は、搬送ローラ４４により搬送されて排紙皿４６へ排紙される。
【００４４】
一方、複写機本体内には、第１のプラテンガラス５１、第２のプラテンガラス（ＡＤＦガラス）５２、光源５３、ミラー５４、５５、５６、結像光学部５７、ＣＣＤ撮像装置５８及び図示しない光学駆動部が備えられる。プラテンモード時には、プラテンガラス５１上に載置された原稿２０を読み取るようになされる。例えば、光学駆動部は、光源５３及びミラー５４を走査する。光源５３から原稿２０に照射された光は、当該原稿２０から読取光となって反射されてくる。読取光は、ミラー５４〜５６を通じて結像光学部５７により結像され、ＣＣＤ撮像装置５８に取り込まれる。ＣＣＤ撮像装置５８は縮小型イメージセンサから構成される。ＣＣＤ撮像装置５８の出力段には画像処理部２１が接続され、アナログの原稿読取信号Ｓoutを二値化処理等の画像処理し、この画像処理後のライン単位の画像データＤ１５が画像形成部７０に出力される。
【００４５】
画像形成部７０は、画像書込み部６０、有機感光体ドラム（以下単に感光体ドラムという）７１、帯電器７２、現像器７３、転写器７４、分離器７５、クリーニング装置７６、搬送機構７７及び定着器７８を有している。画像形成部７０は、画像書込み部６０によって感光体ドラム７１に記録された静電潜像を可視化して画像を形成し、所定の転写紙（以下用紙という）Ｐ上に画像を転写するようになされる。この例で、感光体ドラム７１の上方には帯電器７２が配設され、所定の帯電電位に基づいて予め感光体ドラム７１が一様に帯電される。帯電器７２にはスコロトロン帯電器が使用される。
【００４６】
感光体ドラム７１の例えば、斜め右上方には情報記録装置の一例となる画像書込み部６０が設けられ、感光体ドラム（像形成体）７１に画像情報を記録するようになされる。画像書込み部６０は、レーザー光源６３と、情報記録装置としての回折格子型のライトバルブ６５、スリット６７及びバルブ駆動回路６８を有して構成される。レーザー光源６３には所定の波長のレーザー光を輻射する青色、赤色及び緑色半導体レーザー等が使用される。
【００４７】
画像書込み部６０では、レーザー光源６３から照射された光が、画像処理部２１から出力された画像処理後のライン単位の画像データＤ１５に基づいてライトバルブ６５により変調される（図２乃至図６参照）。このライトバルブ６５によって変調された所定のエネルギーのライン単位の回折光は、スリット６７を含む光学部により、感光体ドラム７１上に結像される。この回折光は、感光体ドラム上で１ラインのデータを同時に露光する。この露光の結果、感光体ドラム７１上に１ラインの静電潜像が形成される。
【００４８】
また、感光体ドラム７１の右側にはトナー及びキャリア（現像剤）が収容された現像器７３が配設され、画像書込み部６０によって露光された静電潜像はトナー部材によって現像される。この現像器７３の下方には給紙部３０を構成するレジストローラ６２や給紙トレイ３０Ａ及び３０Ｂ等が設けられる。給紙トレイ３０Ａ及び３０Ｂ内に収容された用紙Ｐは、これらの給紙トレイ３０Ａ及び３０Ｂにそれぞれ設けられた図示しない送り出しローラ及び給紙ローラにより給紙され、搬送ローラ６１、レジストローラ６２等を経て感光体ドラム７１下に搬送される。
【００４９】
感光体ドラム７１の下方には転写器７４が配設され、帯電、露光、現像を経てその感光体ドラム７１上に形成されたトナー像が、レジストローラ６２により搬送タイミング制御される用紙Ｐに転写される。この転写器７４に隣接して分離器７５が設けられ、トナー像を転写した用紙Ｐが感光体ドラム７１から分離される。
【００５０】
この分離器７５の下流側には搬送機構７７が設けられ、その終端部位には定着器７８が設けられる。定着器７８では用紙Ｐに転写されたトナー像が熱定着される。定着処理後の用紙Ｐは、排紙ローラ９５に挟持されて機外の排紙トレイ等に排紙される。用紙裏面に画像を形成する場合は、分岐部９１で排紙路を分岐して反転ローラ９２により定着処理後の用紙Ｐが反転部９３に導かれ、反転搬送路９４を経て、レジストローラ６２に至る。裏面に画像を形成した後の用紙Ｐは排紙トレイに排紙される。画像形成が完了した用紙Ｐは、排紙トレイに限られることはなく、フィニッシャ９０によってステープル処理や綴じ込み処理等を行われる場合もある。
【００５１】
搬送機構７７と上述の帯電器７２との間には、感光体ドラム７１に対向してクリーニング装置７６が設けられ、感光体ドラム７１に残留したトナーがクリーニングされる。その後、次のコピーサイクルに移行する。これらの画像形成の際には、用紙Ｐとして５２．３〜６３．９ｋｇ／ｍ2（１０００枚）程度の薄紙や６４．０〜８１．４ｋｇ／ｍ2（１０００枚）程度の普通紙や８３．０〜１３０．０ｋｇ／ｍ2（１０００枚）程度の厚紙や１５０．０ｋｇ／ｍ2（１０００枚）程度の超厚紙を用い、線速度を８０〜３５０ｍｍ／ｓｅｃ程度とし、環境条件として温度が５〜３５℃程度、湿度が１５〜８５％程度の設定条件とすることが好ましい。用紙Ｐの厚み（紙厚）としては０．０５〜０．１５ｍｍ程度の厚さのものが用いられる。
【００５２】
図２は、回折格子型のライトバルブ６５の１画素の構成例を示す斜視図である。この例で、ライトバルブ６５は、図１に示したレーザー光源６３から照射されるレーザー光を回折（変調）するための１画素が複数の固定リボン３及び可動リボン４から構成されるリボンペアをＮ個並設されて成る。この例ではペア数が”５”の場合について説明する。図２に示す１画素のライトバルブ６５は、シリコン基板１上に共通電極２、固定リボン３及び可動リボン（電極）４を備えて構成される。固定リボン３及び可動リボン４は、共通電極２上に交互に配置される。
【００５３】
ここで、固定リボン３や可動リボン４等の配列方向をＩとし、その配列方向Ｉと直交する方向をIIとし、これら固定及び可動リボン３，４等の長手方向をIIIとしたとき、これら固定及び可動リボン３や４等の長手方向IIIが、当該リボン３や４等の配列方向Ｉと直交する方向IIに対して所定の角度φを有して配置される。これは固定リボン３や可動リボン４によって変調された回折光成分を０次光を軸に回転させるためである。
【００５４】
シリコン基板１上には、素子絶縁層６を構成する膜厚５０００Å程度のシリコン酸化膜が形成される。素子絶縁層６上の所定の領域には、共通電極（グランドプレーン）２を構成する膜厚３０００Å程度のポリシリコン酸化膜が形成される。その表面には、図示しない絶縁保護膜となる膜厚２００Å程度のシリコン酸化膜が更に形成される。絶縁保護膜上であって、共通電極２を跨ぐ位置に、膜厚８００Å程度の窒化シリコン酸化膜から構成される固定リボン３及び可動リボン４が当該共通電極２を橋架するように形成されている。しかも、固定リボン３及び可動リボン４は、当該リボン３や４等の配列方向Ｉと直交する方向IIに対して斜め角度φを有して配置されている。
【００５５】
固定リボン３及び可動リボン４の間には空間５が設けられる。この空間５は、可動リボン４のたわみ姿勢を発生させる領域である。固定リボン３及び可動リボン４の表面は、反射率を向上させるために、膜厚５００Å程度のアルミニウムが蒸着されたアルミ層７により鏡面仕上げとされている。
【００５６】
この例で、５個の固定リボン３と、５個の可動リボン４から１画素を構成するようになされる。もちろん、１画素を１０リボンで構成する場合に限られることはなく、１画素を８リボン、１２リボンのように構成してもよい。１画素のリボン数が多いほど、高階調の画像を形成できるようになる。
【００５７】
図３は、ライトバルブ６５の全体構成例を示す平面図である。この例で、ライトバルブ６５は、固定リボン３及び可動リボン４の長手方向が、当該リボン３及び４の配列方向と直交する方向に対して所定の角度φを有して配置されるものである。図３に示すライトバルブ６５は、配列方向（ライン方向）Ｉの長さがＬｘである。それに直交する方向（垂直方向）IIの幅がＷｘである。
【００５８】
この例で、斜め角度φを有する５個の固定リボン３と５個の可動リボン４とが１画素分に相当する場合であって、ライトバルブ６５は、固定リボン３及び可動リボン４の５ペアがライン方向Ｉに＃Ｎ画素分斜め角度φに配置されて構成されている。例えば、Ａ４版の用紙サイズ（縦ての長さ＝２９７ｍｍ相当）の解像度が６００ｄｐｉの場合に、＃Ｎは７０２０画素である。１画素の長さｌｘは３０μｍ乃至４０μｍ程度である。
【００５９】
このような＃１〜＃Ｎ画素構成のライトバルブ６５を使用し、レーザー光源６３から照射されるレーザー光をその回折現象により回折する。この例では、固定リボン３及び可動リボン４に関して右斜め下がりに配置しているが、これに限られることはなく、もちろん、これらの固定及び可動リボン３，４を左斜め下がりに配置してもよい。いずれの場合も、回折光成分が回転する。
【００６０】
図４Ａ及びＢは、ライトバルブ６５における可動リボン４等の動作例を示す幅方向の断面図である。この例で、ライトバルブ６５において、共通電極２と可動リボン４との間には、画像処理後のライン単位の画像データＤ１５に基づく書込み電圧Ｖｗがリボンペア（１／５画素）毎に印加される。図４Ａに示す共通電極２と可動リボン４との間には、書込み電圧Ｖｗ＝「０」、すなわち、書込み電圧Ｖｗが印加されない場合である。この印加電圧＝ＯＦＦ時には、可動リボン４と、図示しない固定リボン３とが同じ高さの位置状態を維持する。この結果で、可動リボン４や固定リボン３等と共通電極２との間には空間５が発生する。
【００６１】
また、図４Ｂに示すライトバルブ６５において、共通電極２と可動リボン４との間に、書込み電圧Ｖｗ＝「１」、すなわち、書込み電圧Ｖｗが印加された場合である。この印加電圧＝ＯＮ時は、可動リボン４がたわんで湾曲し、可動リボン４の高さが、図示しない固定リボン３の高さに比べて低くなる。
【００６２】
可動リボン４は、照射光の波長λの１／４でその最大量を湾曲させることができる。例えば、照射光の波長λが１５４０ｎｍである場合に、そのたわみ量は３８５ｎｍ乃至３９５ｎｍ程度である。このようなたわみを得るための書込み電圧Ｖｗは、例えば、Ｖｗ＝１５Ｖ乃至２０Ｖ程度である。
【００６３】
上述の書込み電圧Ｖｗに印加すると、可動リボン４と共通電極２との間は、空間５から空間５’に変化する。この可動リボン４のたわみは、電気吸引力で当該可動リボン４が共通電極２に近付き、落ち込んだために、その高さ位置が変位したことにより発生する。その落ち込み結果で、固定リボン３及び可動リボン４は凹凸状を成し、回折格子を構成する。このような固定リボン３及び可動リボン４の凹凸状に基づいて構成される回折格子に、レーザー光源６３からのレーザー光を照射すると、そのレーザー光を変調（回折）できるようになる。なお、１画素を構成する他の可動リボン４は、画像処理後のライン単位の画像データＤ１５に基づく書込み電圧Ｖｗにより同様な動作をする。その説明については省略する。
【００６４】
図５は、ライトバルブ６５における２画素分の動作例を示す配列方向Ｉの断面図である。この例でライトバルブ６５は、１画素データ／多ペア駆動方式を採っている。ここに１画素データ／多ペア駆動方式とは、１画素が複数の固定リボン３及び可動リボン４から構成されるリボンペアをＮ個並設した回折格子型のライトバルブ６５に対して、１画素の画像データを多ペア分の画像データに増加して１ペア毎にリボンペアを駆動する方式をいう。ここでは、ライトバルブ６５の配列方向Ｉで隣接する２画素に注目し、その注目画素を第１画像＃１及び第２画素＃２とする。
【００６５】
図５に示す第１画素はＯＦＦ状態である。この状態は、第１画素＃１の５個の可動リボン４に書込み電圧Ｖｗが印加されていない、印加電圧＝ＯＦＦの場合である。この場合、第１画素＃１に入射した波長λのレーザー光（以下入射光という）Ｌは、５個の固定リボン３と、５個の可動リボン４とで全反射する。この反射光は０次回折光Ｌ０である。
【００６６】
また、第１画素＃１に隣接する第２画素＃２は、ＯＮ状態である。この状態は、第２画素＃２の５個の可動リボン４に、例えば、同じ書込み電圧Ｖｗが印加されており、印加電圧＝ＯＮの場合である。この場合、第２画素＃２に入射した入射光Ｌは、５個の固定リボン３、５個の可動リボン４により構成される回折格子によって回折する。この回折光は１次回折光Ｌ１である。
【００６７】
上述の可動リボン４と固定リボンとの高さの差、すなわち、落ち込み変位量は、λ／４である。ここで、０次回折光Ｌ０と、１次回折光Ｌ１との成す角を回折角θとし、レーザー光Ｌの波長をλとし、固定リボン３及び可動リボン４の配置ピッチをＰとしたとき、三者の間には、ｓｉｎθ＝λ／Ｐなる関係を満たすようになる。
【００６８】
この例では、上述の機能に加えて、図４で説明したように、可動リボン４毎に、画像処理後のライン単位の画像データＤ１５に基づく書込み電圧Ｖｗにより印加電圧のＯＮ／ＯＦＦ制御が可能となされている。例えば、第１画素＃１の可動リボン４の１つ１つに画像処理後のライン単位の画像データＤ１５に基づく書込み電圧Ｖｗを印加し、第１画素＃１で他の可動リボン４をＯＦＦできるようになっている。
【００６９】
この例では、上述の機能を応用して挿入間引き処理を実行する。ここに挿入間引き処理とは、微小変倍率に応じて１画素の固定リボン３及び可動リボン４のペア数を増減する。例えば、微小変倍率に応じて１画素を微小縮小する場合は、ライトバルブ６５の１画素の固定リボン３及び可動リボン４の複数ペアから１ペア以上を間引きする。また、微小変倍率に応じて１画素を微小拡大する場合は、ライトバルブ６５の１画素の固定リボン３及び可動リボン４の複数ペアに１ペア以上を挿入するようになされる。これにより、レーザー光源６３から照射されたレーザー光Ｌを画像処理部２１から出力された画像処理後のライン単位の画像データＤ１５に基づいてライトバルブ６５により微小変倍画像処理を伴った変調することができる。
【００７０】
図６は、複写機１００の画像書込み部６０における露光原理を示す上面図である。この例で、ライトバルブ６５と投影光学系６６との間にはスリット６７が配置される。スリット６７は、長手方向に開口部６７ａを有し、その開口部６７ａの長手方向が感光体ドラム７１の長手方向に並行するように配置される。
【００７１】
図６に示す画像書込み部６０において、レーザー光源６３から出射されたレーザー光Ｌは、コリメータレンズ等の光学系６４により平行光に成形される。光学系６４により成形された平行光は、ライトバルブ６５に入射する。ライトバルブ６５は、画像処理後のライン単位の画像データＤ１５に基づいて図２乃至図５で説明した可動リボン４を変調するように動作する。このとき、１次回折光Ｌ１は回折角θを有して回折されるが、０次回折光Ｌ０中に１次回折光成分が残留する。
【００７２】
また、０次回折光Ｌ０は従来方式のライトバルブ６５’に比べて光軸が角度φだけ回転されて、スリット６７を通過し、投影光学系（光学部）６６に入射する。つまり、ライトバルブ６５によって変調された所定のエネルギーのライン単位の０次回折光Ｌ０は、スリット６７で１次回折光成分が遮光され、その後、投影光学系６６により拡張されて感光体ドラム７１に入射する。０次回折光Ｌ０は、感光体ドラム７１上で結像する。
【００７３】
これにより、画像処理後の１ラインの画像データＤ１５を同時に０次回折光Ｌ０により、感光体ドラム上に露光（記録）することができる。この露光の結果、感光体ドラム７１上に１ラインの静電潜像が同時に形成される。なお、この例では、０次回折光Ｌ０を感光体ドラム７１に照射して画像データＤ１５を露光する場合について説明したが、これに限られることはなく、１次回折光Ｌ１を記録に使用してもよい。
【００７４】
図７Ａ及びＢは、スリット６７の大きさ及びその機能例を示す正面図である。図７Ａに示すスリット６７は、ライトバルブ６５と投影光学系６６との間に配置されるものである。スリット６７は、長手方向の長さがＬ［ｍｍ］であり、その短手方向の幅がＷ［ｍｍ］である。このスリット６７には開口部６７ａが設けられ、０次回折光Ｌ０を通過するようになされる。開口部６７ａの長手方向の長さがｌ［ｍｍ］であり、その短手方向の幅がｗ［ｍｍ］である。スリット６７には金属部材又は硬化プラスティック材が使用される。例えば、スリット６７にはＬ×Ｗの大きさの鉄板に開口部６７ａを形成したもの、同サイズのアルミニウム板に開口部６７ａを形成したものが使用される。
【００７５】
この例では、図７Ｂに示すスリット６７の開口部６７ａの長手方向を、図６で示した感光体ドラム７１の長手方向に並行するように配置する。ライトバルブ６５によって変調された所定のエネルギーのライン単位の０次回折光Ｌ０は、スリット６７を通過する。その１次回折光成分のみを当該スリット６７で遮光できるようになる。
【００７６】
因みに、リボンの長手方向が、当該リボンの配列方向と直交する方向に対して並行（φ＝０°）に配置された従来方式のライトバルブ６５’の場合には、１次回折光成分は、開口部６７ａの長手方向に対して角度φ＝０°を成す方向に存在する。その結果、長手方向で０次回折光Ｌ０を挟んで両脇に１次回折光成分が存在するので、当該１次回折光成分も０次回折光Ｌ０と共にスリット６７を抜けてしまう。
【００７７】
これに対して、本実施例の構成では、リボンの長手方向が、当該リボンの配列方向と直交する方向に対して角度φを有したライトバルブ６５が配置され、かつ、開口部６７ａの幅ｗと０次回折光Ｌ０のビーム径とが同じ大きさになる位置に、スリット６７を配置（位置合わせ）している。この結果、１次回折光成分が開口部６７ａの長手方向に対して角度φを成す方向に存在するようになり、０次回折光Ｌ０のみをスリット６７を通過させることができる。
【００７８】
この例で図３に示したように、固定リボン３及び可動リボン４に関して右斜め下がりに配置した場合も、これらの固定リボン３及び可動リボン４を左斜め下がりに配置した場合も、遮光可能な最小角度をφｘとしたとき、φｘ≦φ＜９０°の範囲で０次回折光Ｌを遮光することができる。
【００７９】
図８は、複写機１００の制御系の構成例を示すブロック図である。図８に示す複写機１００は、原稿読取部１１、記憶部１２、画像メモリ１３、制御部１５、画像処理部２１、給紙部３０、操作パネル４８及び画像形成部７０から構成される。  
制御部１５は、固定リボン３及び可動リボン４を１ペア毎に独立して駆動するものである。制御部１５は、ＲＯＭ（Read Only Memory）３４、ＣＰＵ（Central Processing Unit；中央処理ユニット）３５及びＲＡＭ（Random Access Memory）３６を有している。ＲＯＭ３４には当該複写機全体を制御するためのシステムプログラムデータが格納される。ＲＡＭ３６はワークメモリとして使用され、例えば、制御コマンド等を一時記憶する。ＣＰＵ３５は電源がオンされると、ＲＯＭ３４からシステムプログラムデータをＲＡＭ３６に読み出してシステムを起動し、操作パネル４８から出力される操作データＤ３に基づいて当該複写機全体を制御する。
【００８０】
例えば、ＣＰＵ３５は、操作パネル４８から入力される操作データＤ３に基づいて原稿読取部１１、記憶部１２、画像メモリ１３、画像処理部２１、給紙部３０及び画像形成部７０等の入出力を制御する。ＣＰＵ３５は、画像処理部２１を通じて１画素を構成する５個の固定リボン３と可動リボン４を１ペア単位に駆動するようにライトバルブ６５を制御する。
【００８１】
この例で、ＣＰＵ３５は、微小変倍率に応じて１画素の固定リボン３及び可動リボン４のペア数を増減する挿入間引き制御を実行する。例えば、ＣＰＵ３５は、微小変倍率に応じて１画素を微小縮小する場合は、ライトバルブ６５の１画素の固定リボン３及び可動リボン４の複数ペアから１ペア以上を間引き、微小変倍率に応じて１画素を微小拡大する場合は、ライトバルブ６５の１画素の固定リボン３及び可動リボン４の複数ペアに１ペア以上を挿入する。
【００８２】
制御部１５には、画像処理部２１が接続され、画像データＤINによって形成される画像イメージを事前にＲＡＭ３６又は図示しないワークメモリに展開して微小変倍画像処理を実行する。この微小変倍画像処理では、１画素単位の画像データＤINの数を増やして、当該１画素の固定及び可動リボン３，４の複数分の画像データを出力するようになされる。画像データはシリアルに出力される。
【００８３】
画像処理部２１は、微小拡大モードが設定された場合、ライトバルブ６５の１画素の固定リボン３及び可動リボン４の複数ペア分として読み出される画像情報の１ペア分以上を続けて読み出す。ここに、微小拡大モードとは、前回の画像の記録幅に対して今回の画像の記録幅を拡大する動作をいう。また、画像処理部２１は、微小縮小モードが設定された場合に、ライトバルブ６５の１画素の固定リボン３及び可動リボン４の複数ペア分として読み出される画像情報から１ペア分以上を読み棄てる。ここに、微小縮小モードとは、前回の画像の記録幅に対して今回の画像の記録幅を縮小する動作をいう。
【００８４】
なお、制御部１５には原稿読取部１１が接続され、図１に示した原稿２０を読み取って得た原稿読取信号Ｓoutを制御部１５に出力する。制御部１５は、原稿読取信号Ｓoutをアナログ・デジタル（Ａ／Ｄ）変換し、Ａ／Ｄ変換後の原稿画像データＤINを画像メモリ１３に転送する。画像メモリ１３は、原稿画像データＤINを一時格納し、制御部１５の読み出制御を受けて原稿画像データＤOUT（＝ＤIN）を画像処理部２１に出力する。画像処理部２１は原稿画像データＤINを入力する。画像メモリ１３には、ハードディスク（ＨＤＤ）や、ＤＲＡＭ等が使用される。
【００８５】
画像処理部２１では、上述の処理の他に、画像処理信号Ｓ１に基づいて原稿画像データＤINの符号圧縮処理や復号伸長処理、画像処理等がなされる。これらの画像処理後の画像データＤ１５は、画像形成部７０へ出力される。画像形成部７０は、画像書込み部６０や、現像器７３、転写器７４、分離器７５、定着器７８等から構成され、画像処理後のライン単位の画像データＤ１５に基づいて、所定の用紙Ｐ上に画像を形成するようになされる。
【００８６】
画像処理部２１には、画像書込み部６０が接続され、画像データＤ１５に基づいて感光体ドラム（像形成体）等の記録媒体に画像を記録するものである。画像書込み部６０は、レーザー光源６３、光学系６４，６６、ライトバルブ６５、スリット６７、バルブ駆動回路６８、感光体ドラム７１及び帯電器７２を有している。レーザー光源６３は制御部１５に接続される。制御部１５は、当該ラインのデータ書込み期間にレーザー光源６３を点灯し、ライン間のデータ非書込み期間にはレーザー光源６３を消灯する光源点灯制御を実行する。
【００８７】
また、バルブ駆動回路６８は画像処理部２１とライトバルブ６５との間に接続され、画像処理後のライン単位（シリアル）の画像データＤ１５を入力し、制御部１５からの点灯／消灯制御信号Ｓ２に基づいてライトバルブ６５を駆動し、感光体ドラム７１に対してレーザー光Ｌによる画像書込み処理を実行する。帯電器７２は、画像書込み処理前に、帯電制御信号Ｓ３に基づいて感光体ドラム７１を所定の電位に帯電する。
【００８８】
画像形成部７０において、駆動部７９は制御部１５に接続され、画像書込み部６０の投影光学系６６によって結像された感光体ドラム７１を駆動制御信号Ｓ４に基づいて所定の方向へ回転するように駆動する。現像器７３は制御部１５に接続され、駆動部７９によって駆動される感光体ドラム７１に形成された静電潜像を現像制御信号Ｓ５に基づいて現像してトナー像を形成する。
【００８９】
この例で制御部１５には画像形成部７０の他に給紙部３０が接続され、制御部１５からの給紙制御信号Ｓ６に基づいて用紙Ｐが繰り出され、図示しない給紙搬送通路を経て用紙Ｐを画像形成部７０へ給紙搬送するようになされる。給紙部３０にはレジストローラ６２が含まれ、図示しない駆動源としてのソレノイドやモータ等により駆動される。この例で、用紙Ｐは、図８に示す用紙進行方向（右側から左側）に搬送される。
【００９０】
また、画像形成部７０において、転写器７４は制御部１５に接続され、現像器７３によって現像されたトナー像を転写制御信号Ｓ７に基づいて所定の用紙Ｐに転写する。給紙部３０から給紙される用紙Ｐは、レジストローラ６２によって画像書込み部６０における書込みタイミングと、給紙送りタイミングとが揃えられる。分離器７５は制御部１５に接続され、転写器７４によって転写紙に転写されたトナー像を分離制御信号Ｓ８に基づいて感光体ドラム７１から分離する。定着器７８は、分離器７５によって感光体ドラム７１から分離された転写紙のトナー像を定着制御信号Ｓ９に基づいて定着する。定着後の用紙Ｐは排紙される。
【００９１】
制御部１５には画像形成部７０や、給紙部３０等の他に操作パネル４８が接続される。操作パネル４８は、操作設定部１４及び表示部１８から構成される。操作パネル４８には、図示しない液晶表示ディスプレイ及びタッチセンサパネルを組み合わせたものが使用される。表示部１８には、基本設定用の画面が表示され、この画面には、複写枚数、画像形成濃度等の画像形成条件が表示される。画像形成条件は表示データＤ２に基づいて表示される。表示データＤ２は、制御部１５から表示部１８へ出力される。操作設定部１４は、自動給紙モードや、プラテンモード等の設定及び画像形成条件の選択やその設定をするように操作される。これらの画像形成条件の選択等により得られた操作データＤ３は制御部１５に出力される。
【００９２】
上述の制御部１５には画像メモリ１３の他に記憶部１２が接続され、画像書込み部６０を調整するためのテストパターンデータＤ４が記憶される。テストパターンデータＤ４は、レーザー光Ｌの拡散度合い、ライトバルブ６５の反射、回折誤差、レンズ光学系の精度、感光体ドラム７１の感度等の条件を設定するような内容である。記憶部１２には、操作設定部１４によって設定された後の調整設定内容も記憶される。
【００９３】
これは、前回設定された調整設定内容に基づいて今回の画像書込み部６０を制御できるからである。記憶部１２には、電源をオフしても情報が消失（消去）されない不揮発メモリが使用される。例えば、不揮発メモリには、フラッシュＲＯＭ、ＥＥＰＲＯＭ、バッテリーバックアップ付きのＳＲＡＭ等が使用される。
【００９４】
図９は、画像処理部２１、画像書込み部６０及びその周辺回路の構成例を示すブロック図である。この例でも、５ペアの固定リボン３及び可動リボン４で１画素を構成する場合の例を挙げる。図９に示す画像処理部２１は、ＣＰＵ３５から出力される画像処理信号Ｓ１に基づいて微小変倍画像処理を実行する。
【００９５】
画像処理部２１は、例えば、ワークメモリ２２、周波数変換部２３、２ポートメモリ２４、ライトアドレスカウンタ２６、リードアドレスカウンタ２７及びメモリ制御部３３を有して構成される。画像処理部２１には、ワークメモリ２２が設けられ、例えば、メモリ制御信号Ｓｍに基づいて画像メモリ１３から受信した、１ページ単位の画像データＤINが格納される。ワークメモリ２２には、周波数変換部２３が接続され、ワークメモリ２２から読み出された１画素毎の画像データＤ１を５倍の動作周波数に基づいて５倍の数の画像データＤ１５に変換する。
【００９６】
周波数変換部２３には、２ポートメモリ２４が接続される。２ポートメモリ２４は、図示しないデータ書込み部、メモリ部及びデータ読み出部を有して構成される。２ポートメモリ２４でデータ書込み部は、ライトアドレスＷＡｄに基づいて５倍の数の画像データＤ１５をメモリ部に書込む。データ読み出部は、５倍の画像データＤ１５をリードアドレスＲＡｄに基づいてメモリ部から読み出すようになされる。
【００９７】
２ポートメモリ２４には、ライトアドレスカウンタ２６及びリードアドレスカウンタ２７が接続される。ライトアドレスカウンタ２６は、ライトリセット信号ＷＲに基づいてライトアドレスＲＡｄを発生して２ポートメモリ２４のデータ書込み部へ出力する。リードアドレスカウンタ２７は、リードリセット信号ＲＲに基づいてリードアドレスＲＡｄを発生して２ポートメモリ２４のデータ読出部へ出力する。
【００９８】
また、ライトアドレスカウンタ２６及びリードアドレスカウンタ２７には、メモリ制御部３３が接続され、画像処理信号Ｓ１に基づいてライトリセット信号ＷＲやリードリセット信号ＲＲを生成して、ライトリセット信号ＷＲをライトアドレスカウンタ２６に出力し、リードリセット信号ＲＲをリードアドレスカウンタ２７に出力する。メモリ制御部３３は、メモリ制御信号Ｓｍや、上述のライト及びリードリセット信号ＷＲ，ＲＲの他にオフセット制御信号Ｓ１１を発生し、当該信号Ｓ１１をバルブ駆動回路６８に出力するようになされる。
【００９９】
上述のＣＰＵ３５にはタイミング発生回路２５が接続され、タイミング制御信号Ｓ１０に基づいて点灯／消灯制御信号Ｓ２を発生するようになされる。当該信号Ｓ２はバルブ駆動回路６８に出力される。なお、タイミング発生回路２５は制御部１５内に設けてもよい。
【０１００】
バルブ駆動回路６８は、上述の画像処理部２１に接続される。バルブ駆動回路６８は、シフトレジスタ８１、Ｄ／Ａコンバータ８２、オフセット回路８３及びスイッチング回路（ＳＷ）８４を有して構成される。シフトレジスタ８１は、図９に示した画像処理部２１の２ポートメモリ２４に接続される。シフトレジスタ８１は、２ポートメモリ２４から出力された、通常の画像データＤ１５や、微小変倍画像処理後のシリアルの５ペア／画素×Ｎ画素の画像データＤ１５’又はＤ１５”等を保持（ラッチ）する。
【０１０１】
シフトレジスタ８１には、Ｄ／Ａコンバータ８２が接続される。Ｄ／Ａコンバータ８２は、５ペア／画素×Ｎ画素組分だけ準備される。Ｄ／Ａコンバータ８２は、通常の画像データＤ１５や、５ペア／画素×Ｎ画素のデジタルの画像データＤ１５’、Ｄ１５”等をパラレルに読み出して、ライトバルブ６５の１画素の５個の可動リボン用のアナログの画像信号Ｓout’に変換する。
【０１０２】
各々のＤ／Ａコンバータ８２には、スイッチング回路８４が接続される。スイッチング回路８４には、オフセット回路８３及びタイミング発生回路２５が接続される。オフセット回路８３はオフセット制御信号Ｓ１１に基づいてオフセット電圧Ｖoffをスイッチング回路８４に出力する。
【０１０３】
スイッチング回路８４では点灯／消灯制御信号Ｓ２に基づく画像書込み期間に、５個の可動リボン用のアナログの画像信号Ｓout’に基づくオフセット電圧Ｖoffを書込み電圧Ｖｗとして、１画素が５ペアで、＃１〜＃Ｎ画素のライトバルブ６５に出力する。ライトバルブ６５では、各々の画素において、微小変倍画像処理後の書込み電圧Ｖｗに基づいてＯＮ／ＯＦＦする。このライトバルブ６５のＯＮ／ＯＦＦ動作によってレーザー光Ｌを微小変倍画像処理を伴った変調ができるようになる。この変調後の０次回折光Ｌ０は、図７及び８に示したスリット６７を通過して感光体ドラム７１へ投影される。
【０１０４】
図１０は、ライトアドレスカウンタ２６の構成例を示すブロック図である。図１０に示すライトアドレスカウンタ２６は、ライトリセット信号ＷＲに基づいてライトアドレスＲＡｄを発生するものであり、加算器６０１及びフリップ・フロップ回路（以下ＦＦ回路という）６０２を有して構成される。
【０１０５】
ＦＦ回路６０２は、出力端子Ｑ、データ端子Ｄ及びクリア端子ＣＬＲを有している。クリア端子ＣＬＲは、図９に示したメモリ制御部３３に接続され、ライトリセット信号ＷＲによって「０」クリアされる。出力端子Ｑは、加算器６０１及び２ポートメモリ２４に接続される。
【０１０６】
加算器６０１は入力端子Ａ、Ｂ及び出力端子Ａ＋Ｂを有している。入力端子Ａは、ＦＦ回路６０２の出力端子Ｑが接続され、入力端子Ａには、ライトアドレスＷＡｄが入力される。入力端子Ｂには、「１」が入力される。加算器６０１の出力端子Ａ＋Ｂには、前回のライトアドレスＷＡｄの値に「１」を加算した値がＦＦ回路６０２のデータ端子Ｄに入力される。ＦＦ回路６０２の出力端子Ｑから２ポートメモリ２４にはライトアドレスＷＡｄが出力される。
【０１０７】
ライトアドレスカウンタ２６の動作例によれば、まず、メモリ制御部３３から指示されるライトリセット信号ＷＲによってＦＦ回路６０２が「０」クリアされる。ライトリセット信号ＷＲが解除されると、加算器６０１では、図示しない動作クロック信号に従って、前回のライトアドレスＷＡｄの値に「１」が加算される。これにより、ＦＦ回路６０２から２ポートメモリ２４へライトアドレスＷＡｄを出力することができる。
【０１０８】
図１１は、リードアドレスカウンタ２７の構成例を示すブロック図である。図１１に示すリードアドレスカウンタ２７は、リードリセット信号ＲＲに基づいてリードアドレスＲＡｄを発生するものであり、周期パルス発生器７０１、３個の演算器７０２〜７０３、加算器７０５及びＦＦ回路７０６を有して構成されている。
【０１０９】
周期パルス発生器７０１は、メモリ制御部３３及びＣＰＵ３５に接続され、リードリセット信号ＲＲ、拡大モード信号ＭＳ及び間引き（挿入）周期信号ＴＸに基づいてＰＵＬＳＥ信号を発生する。ＰＵＬＳＥ信号は、例えば、動作クロック信号に従って、間引き（挿入周期）毎に１クロック幅の信号として生成される。ＰＵＬＳＥ信号は、２ポートメモリ２４から画像書込み部６０へ出力される画像データの読み出制御をする際に使用される。ＣＰＵ３５は、微小変倍率に基づいて間引き又は挿入すべきリボンペア単位の周期として間引き（挿入）周期データＴＸを計算するようになされる。
【０１１０】
周期パルス発生器７０１は、出力端子Ｐ、データ端子Ｆ及びクリア端子ＣＬＲを有して構成されている。クリア端子ＣＬＲは、図９に示したＣＰＵ３５に接続され、リードリセット信号ＷＲによって「０」クリアされる。データ端子Ｆは、ＣＰＵ３５に接続され、間引き（挿入）周期信号ＴＸを入力するようになされる。
【０１１１】
周期パルス発生器７０１の出力端子Ｐには、２個の演算器７０２，７０３が接続され、周期パルス発生器７０１から各々の演算器７０２，７０３にＰＵＬＳＥ信号を出力するようになされる。演算器７０２，７０３は、演算器７０４に接続される。各々の演算器７０２〜７０４は、入力端子０及び１、制御端子Ｓ及び出力端子Ｙを有して構成されている。
【０１１２】
ＰＵＬＳＥ信号は、周期パルス発生器７０１の出力端子Ｐから各々の演算器７０２，７０３の制御端子Ｓに供給される。演算器７０２では、「１」及び「２」が演算（加算）され、演算器７０２の出力端子Ｙにその演算値が出力される。演算器７０３では、「１」及び「０」が演算（加算）され、演算器７０３の出力端子Ｙにその演算値が出力される。
【０１１３】
演算器７０４の制御端子Ｓには、ＣＰＵ３５に接続され、拡大モード信号ＭＳが供給される。演算器７０４では、拡大モード信号ＭＳに基づいて演算器７０２，７０３の出力が演算され、演算器７０４の出力端子にその演算値が出力される。
【０１１４】
演算器７０４の出力端子ＹにはＦＦ回路７０６が接続される。ＦＦ回路７０６は、出力端子Ｑ、データ端子Ｄ及びクリア端子ＣＬＲを有している。クリア端子ＣＬＲは、上述に示した周期パルス発生器７０１に接続され、リードリセット信号ＲＲによって「０」クリアされる。出力端子Ｑは、加算器７０５及び２ポートメモリ２４に接続される。
【０１１５】
加算器７０５は入力端子Ａ、Ｂ及び出力端子Ａ＋Ｂを有している。入力端子Ａは、ＦＦ回路７０６の出力端子Ｑが接続され、入力端子Ａには、リードアドレスＲＡｄが入力される。入力端子Ｂには、演算器７０４の出力値が入力される。加算器７０５の出力端子Ａ＋Ｂには、前回のライトアドレスＷＡｄの値に演算器７０４の出力値を加算した値がＦＦ回路７０６のデータ端子Ｄに入力される。ＦＦ回路７０６の出力端子Ｑから２ポートメモリ２４にはリードアドレスＲＡｄが出力される。
【０１１６】
リードアドレスカウンタ２７の動作例によれば、まず、メモリ制御部３３から指示されるリードリセット信号ＲＲによって、周期パルス発生器７０１及びＦＦ回路７０６が「０」クリアされる。リードリセット信号ＲＲが解除されると、演算器７０２及び７０３では、動作クロック信号に従って、「０」、「１」、「２」のいずれかが加算される。
【０１１７】
この例では、拡大モード信号ＭＳ及び間引き（挿入）周期データＴＸは共に、ＣＰＵ３５からリードアドレスカウンタ２７に指示される。拡大モード信号ＭＳに関しては、微小縮小時に「０」が演算器７０４に出力され、微小拡大時には、「１」が演算器７０４に出力される。
【０１１８】
例えば、ＣＰＵ３５から演算器７０４へ拡大モード信号ＭＳ＝「０」が供給され、微小縮小モードが設定されている場合であって、ＰＵＬＳＥ信号＝「１」のとき、演算器７０２で「２」が、それ以外の場合は、「１」が加算される。また、ＣＰＵ３５から演算器７０４へ拡大モード信号ＭＳ＝「１」が供給され、微小拡大モードが設定されている場合であって、ＰＵＬＳＥ信号＝「１」のとき、演算器７０３で「０」が、それ以外の場合は、「１」が加算される。
【０１１９】
これにより、間引き又は挿入処理が無い場合は、５倍に増加した同じ画像データＤ１５が５ペア分連続して読み出されるが、縮小時は、ところどころの固定及び可動リボン３，４が４ペアとなるような画像データＤ１５’となる。反対に、拡大時は、ところどころの固定及び可動リボン３，４が６ペアとなるような画像データＤ１５”となる。従って、リボンペア単位の微小縮小画像記録又は微小拡大画像記録が実現できるようになる。
【０１２０】
図１２Ａ〜Ｄは、画像処理部２１における微小縮小処理（拡大モード＝０）時の動作例を示す図である。  
この実施例で微小変倍率に応じて１画素を微小縮小処理する場合は、ライトバルブ６５の１画素の固定及び可動リボン３，４の５ペアから１ペアを間引きするようになされる。
【０１２１】
図１２Ａに示す縦軸は、２ポートメモリ２４に指定するアドレスである。アドレスは、データ書込み時のライトアドレスＷＡｄと、データ読み出時のリードアドレスＲＡｄとが指定される。その横軸は、時間ｔである。図１２Ｂに示すＷＲはライトリセット信号のパルス波形である。ライトリセット信号ＷＲは、ロー・レベルの区間が、データ書込み期間である。図１２Ｃに示すＲＲはリードリセット信号のパルス波形である。リードリセット信号ＲＲは、ロー・レベルの区間が、データ読み出期間である。
【０１２２】
図１２Ｄに示す波形はＰＵＬＳＥ信号であり、図１１に示した周期パルス発生器７０１から演算器７０２，７０３に出力される信号である。図１２Ｄにおいて、ＴＸ１は間引き周期である。ＰＵＬＳＥ信号は、データ読み出期間において、間引き周期ＴＸ１毎に立ち上がるようになされる。
【０１２３】
この例で、図１２Ａに示すライトアドレスＷＡｄは、図１２Ｂに示すライトリセット信号ＷＲがロー・レベルの区間で、規則正しく＋１ずつ増加している。これに対して、微小縮小処理時、すなわち、拡大モード＝０が設定されると、図１２Ａに示すリードアドレスＲＡｄは、図１２Ｃに示すリードリセット信号ＲＲのロー・レベル区間（データ読出期間）で、図１２Ｄに示すＰＵＬＳＥ信号が立ち上がる時刻毎に、読み出アドレスが間引かれ、その分の画像データＤ１５’が読み捨てられる。リードアドレスＲＡｄのグラフは、ＰＵＬＳＥ信号が立ち上がる時刻毎に垂直方向に切り立った、カクカクとした形状となる。
【０１２４】
図１３Ａ〜Ｄは、画像処理部２１における微小拡大処理（拡大モード＝１）時の動作例を示す図である。  
この実施例で微小変倍率に応じて１画素を微小拡大処理する場合は、ライトバルブ６５の１画素の固定及び可動リボン３，４の５ペアに１ペアを挿入するようになされる。
【０１２５】
図１３Ａに示す縦軸は、２ポートメモリ２４に指定するアドレスである。アドレスは、データ書込み時のライトアドレスＷＡｄと、データ読み出時のリードアドレスＲＡｄとが指定される。その横軸は、時間ｔである。図１３Ｂに示すＷＲはライトリセット信号のパルス波形である。ライトリセット信号ＷＲは、ロー・レベルの区間が、データ書込み期間である。図１３Ｃに示すＲＲはリードリセット信号のパルス波形である。リードリセット信号ＲＲは、ロー・レベルの区間が、データ読み出期間である。
【０１２６】
図１３Ｄに示す波形はＰＵＬＳＥ信号であり、図１１に示した周期パルス発生器７０１から演算器７０２，７０３に出力される信号である。図１３Ｄにおいて、ＴＸ２は挿入周期である。ＰＵＬＳＥ信号は、データ読み出期間において、間引き周期ＴＸ２毎に立ち上がるようになされる。
【０１２７】
この例で、図１３Ａに示すライトアドレスＷＡｄは、図１３Ｂに示すライトリセット信号ＷＲがロー・レベルの区間で、規則正しく＋１ずつ増加している。これに対して、微小拡大時、すなわち、拡大モード＝１が設定されると、図１３Ａに示すリードアドレスＲＡｄは、図１３Ｃに示すリードリセット信号ＲＲのロー・レベル区間（データ読出期間）で、図１３Ｄに示すＰＵＬＳＥ信号が立ち上がる時刻毎に、読み出アドレスが挿入され、その分の画像データＤ１５”が連続して読み出される。リードアドレスＲＡｄのグラフは、ＰＵＬＳＥ信号が立ち上がる時刻毎に水平方向に階段状を有した、カクカクとした形状となる。
【０１２８】
図１４は、画像書込み部６０における微小変倍処理例を示す図である。この実施例では、用紙の両面に画像を形成する両面モード時に、用紙表裏とも主走査サイズの期待値(絶対寸法)に合わせ込む場合について説明をする。この例では、工場出荷時、もしくは市場でのメンテナンス時に、予め主走査サイズの期待値と実測値とのずれ量を測定し、微小変倍処理に必要な拡大モードや間引き(挿入)周期Ｔ等を取得して不揮発メモリに格納して置くようになされる。
【０１２９】
図１４において、ｗは用紙Ｐに形成された画像の微小変倍処理前の記録幅（サイズ）である。Ｗは微小変倍処理後の画像の記録幅（サイズ）であり、主走査サイズの期待値である。ｄはずれ量であり、主走査サイズの期待値とその実測値との差分である。Ｔは、間引き（挿入）周期であり、Ｔ＝ｗ／ｄである。
【０１３０】
図１５は、拡大モード及び間引き(挿入)周期の設定例を示すフローチャートである。  
この例では、工場出荷時、もしくは市場でのメンテナンス時に、予め主走査サイズの期待値と実測値とのずれ量ｄを測定し、微小変倍処理に必要な拡大モードや間引き(挿入)周期Ｔ等を取得し、ここで得られた拡大モードや間引き(挿入)周期Ｔを設定するようになされる。この処理フローでは、両面モードで１枚の記録紙を出力する場合を例にとる。なお、片面(表面)モードの場合は、裏面の設定は不要となる。記録紙を複数部出力する場合は、全体について上述の処理を繰り返すようになされる。
【０１３１】
これらを設定条件にして、図１５に示すフローチャートのステップＳＴ１で用紙の表面とその裏面にテストパターンを画像形成して出力する。このときのテストパターンについては、主走査サイズ（主走査方向の距離）が分かっていて、画像形成後の記録紙上で、その主走査サイズ(距離)が測定できるパターンであるならば何でもよい。
【０１３２】
次に、ステップＳＴ２に移行して、まず、用紙表面のパターンサイズを測定する。その後、ステップＳＴ３に移行して用紙表面に形成したテストパターンの測定値（以下でパターン測定値という）と主走査サイズの期待値とを比較してその大きさを比較する。そのパターン測定値がその主走査サイズの期待値より小さい場合は、ステップＳＴ４で表拡大モード＝「１」を設定して保存する。
【０１３３】
上述のステップＳＴ３でパターン測定値が主走査サイズの期待値よりも大きい場合は、ステップＳＴ５で表拡大モード＝「０」を設定して保存する。その後、ステップＳＴ６に移行して、記録紙のサイズを測定して、ここで得られたパターン測定値と、主走査サイズの期待値ｗ及びその差ｄから表間引き（挿入）周期Ｔ＝ｗ／ｄを求めて保存する。
【０１３４】
次に、ステップＳＴ７に移行して用紙裏面のパターンサイズを測定する。その後、ステップＳＴ８に移行して用紙裏面に係るパターン測定値と主走査サイズの期待値とを比較して大きさを比較する。そのパターン測定値がその主走査サイズの期待値より小さい場合は、ステップＳＴ９に移行して、裏拡大モード＝「１」を設定して保存する。
【０１３５】
上述のステップＳＴ８でパターン測定値が主走査サイズの期待値よりも大きい場合は、ステップＳＴ１０に移行して表拡大モード＝「０」を設定して保存する。その後、ステップＳＴ１１に移行して、記録紙のサイズを測定して、ここで得られたパターン測定値と、主走査サイズの期待値ｗ及びその差ｄから裏間引き（挿入）周期Ｔ’＝ｗ／ｄを求めて保存する。
【０１３６】
表拡大モード＝「１」や「０」、裏拡大モード＝「１」や「０」、表間引き（挿入）周期Ｔ＝ｗ／ｄや、裏間引き（挿入）周期Ｔ’＝ｗ／ｄ等は、補正値として、ＥＥＰＲＯＭやハードディスク等の不揮発メモリに書込み、以後、その不揮発メモリから補正値を読み出し、その補正値に基づいて微小変倍処理時を実行するようになされる。
【０１３７】
図１６Ａ及びＢは、１画素データ／多ペア駆動方式における元画像Ｇ１の構成例を示す図である。  
図１６Ａに示す画像形成例は、「縦て細線」に係る静電潜像を感光体ドラム７１２に形成し、その後、トナー部材で静電潜像を現像し、その「縦て細線」パターンに係るトナー像（元画像Ｇ１）を用紙に転写し定着したものである。
【０１３８】
図１６Ｂに示す拡大画像例は、図１６Ａ中の実線で囲んだ矩形部分の元画像Ｇ１を拡大した例である。この拡大図によれば、１画素が５ペアの固定リボン３及び可動リボン４から構成されるリボンペアにおいて、１画素の画像データを５ペア分の画像データに増加して１ペア毎に駆動するようになされる。この駆動では、間引き処理及び挿入処理のいずれもなされない場合である。
【０１３９】
図１７Ａ及びＢは、拡大モード＝「０」設定時の間引き後の画像例を示す図である。  
図１７Ａに示す画像形成例は、間引き後画像Ｇ２の場合であり、１画素データ／多ペア駆動方式により駆動される回折格子型のライトバルブ６５において、拡大モード＝「０」が設定され、間引き処理がなされる場合である。
【０１４０】
図１７Ｂに示す拡大画像例は、図１７Ａ中の実線で囲んだ矩形部分の間引き後画像Ｇ２を拡大した例である。この拡大図によれば、１画素が５ペアの固定リボン３及び可動リボン４から構成されるリボンペアにおいて、１画素の画像データＤ１を５ペア分の画像データＤ１５に増加して１ペア毎に駆動するようになされるが、この例では、拡大モード＝「０」設定時、１ペア（１／５画素）が間引かれ、画像データＤ１５’に基づいて４ペア駆動される。従来方式のように多数ペア１画素分を丸々間引く場合に比べて、微小変倍処理時、細線切れを生じることなく、高品質の画像を形成できるようになる。
【０１４１】
図１８Ａ及びＢは、拡大モード＝「１」設定時の挿入処理後の画像例を示す図である。  
図１８Ａに示す画像形成例は、挿入後画像Ｇ３の場合であり、１画素データ／多ペア駆動方式により駆動される回折格子型のライトバルブ６５において、拡大モード＝「１」が設定され、挿入処理がなされる場合である。
【０１４２】
図１８Ｂに示す拡大画像例は、図１８Ａ中の実線で囲んだ矩形部分の挿入後画像Ｇ３を拡大した例である。この拡大図によれば、１画素が５ペアの固定リボン３及び可動リボン４から構成されるリボンペアにおいて、１画素の画像データＤ１を５ペア分の画像データＤ１５に増加して１ペア毎に駆動するようになされるが、この例では、拡大モード＝「１」設定時、１ペア（１／５画素）が挿入され、画像データＤ１５”に基づいて６ペア駆動される。従来方式のように多数ペア１画素分を丸々挿入する場合に比べて、微小変倍処理時、線幅ムラが目立つことなく、高品質の画像を形成できるようになる。
【０１４３】
続いて、複写機１００の動作例について説明する。図１９は、複写機１００における動作例（複写時）を示すフローチャートである。図２０は、その画像形成時のリボンペアの間引き（挿入）制御例を示すフローチャートである。  
この実施例で、１画素が５ペアの固定リボン３及び可動リボン４から構成されるリボンペアをＮ個並設した回折格子型のライトバルブ６５を使用して感光体ドラム７１に静電潜像を記録し、この静電潜像を現像して画像を形成する場合を前提とする。また、微小変倍率に応じて１画素を微小拡大処理する場合は、ライトバルブ６５の１画素の固定及び可動リボン３，４の５ペアに１ペアを挿入し、微小変倍率に応じて１画素を微小縮小処理する場合は、ライトバルブ６５の１画素の固定及び可動リボン３，４の５ペアから１ペアを間引きするようになされる。
【０１４４】
これらを複写条件にして、図１９に示すフローチャートのステップＳＴ１１でコピー要求を待機する。コピー要求があった場合は、ステップＳＴ１２に移行して画像形成条件等の入力処理を実行する。このとき、表示部１８には、図示しない基本設定用の画面等が表示され、この画面には、複写枚数、両面又は片面モード、画像形成濃度等の画像形成条件が表示される。画像形成条件は表示データＤ２に基づいて表示される。操作設定部１４は、自動給紙モードや、プラテンモード等の設定及び画像形成条件の選択やその設定をするように操作される。これらの画像形成条件の選択等により得られた操作データＤ３は制御部１５に出力される。
【０１４５】
その後、ステップＳＴ１３に移行して、制御部１５は、操作パネル４８で図示しないスタートボタンの押下を待機する。このスタートボタンが押下されると、制御部１５は、ステップＳＴ１４に移行して原稿読取処理を実行するように原稿読取部１１を制御する。このとき、原稿読取部１１は、図１で説明したように原稿２０を読み取って得た原稿読取信号Ｓoutを制御部１５に出力する。制御部１５は、原稿読取信号Ｓoutをアナログ・デジタル（Ａ／Ｄ）変換し、Ａ／Ｄ変換後の原稿画像データＤINを画像処理部２１に出力する。
【０１４６】
画像処理部２１では、ステップＳＴ１５で画像処理がなされる。例えば、原稿画像データＤINを符号圧縮処理した後、圧縮された原稿画像データＤOUTを画像メモリ１３に転送する。また、ＣＰＵ３５は、操作設定部１４によって設定された画像形成条件に基づいて画像メモリ１３から原稿画像データＤINを読み出す。画像メモリ１３から読み出された原稿画像データＤINは、画像処理部２１に転送される。画像処理部２１では、原稿画像データＤINの復号伸長処理がなされる。画像処理後の原稿画像データＤINは、ワークメモリ２２に転送される。
【０１４７】
その後、ステップＳＴ１６に移行してＣＰＵ３５は、給紙処理を実行すべく給紙部３０を制御する。このとき、給紙部３０の例えば、給紙トレイ３０Ａでは、給紙制御信号Ｓ６に基づいて用紙Ｐが繰り出され、用紙Ｐは給紙搬送通路を経て画像形成部７０の下方に至る。
【０１４８】
そして、ステップＳＴ１７に移行してＣＰＵ３５は、画像形成処理を実行すべく画像形成部７０を制御する。例えば、用紙表面の画像形成出力時に、図２０に示すサブルーチンのステップＳＴ２１でＣＰＵ３５は、用紙表面の微小拡大モードに従って拡大モード信号を設定する。その後、ステップＳＴ２２でＣＰＵ３５は、用紙表面の間引き(挿入)周期Ｔに従い、その間引き(挿入)周期信号を設定する。そして、ステップＳＴ２３でＣＰＵ３５は、用紙表面に画像を形成して出力するように画像形成部７０を制御する。
【０１４９】
また、用紙裏面の画像形成出力時に、ステップＳＴ２４でＣＰＵ３５は、用紙裏面の微小拡大モードに従って拡大モード信号を設定する。その後、ステップＳＴ２５でＣＰＵ３５は、用紙裏面の間引き(挿入)周期Ｔに従いその間引き(挿入)周期信号を設定する。そして、ステップＳＴ２６で用紙裏面に画像を形成して出力するように画像形成部７０を制御する。
【０１５０】
この例では、ＣＰＵ３５は、画像形成部７０に光源制御信号ＳLD、帯電制御信号Ｓ３、駆動制御信号Ｓ４、現像制御信号Ｓ５、転写制御信号Ｓ７、分離制御信号Ｓ８を出力して画像書込み時の制御を実行する。画像書込み部６０では、画像処理信号Ｓ１に基づいて画像データＤ１５による静電潜像を感光体ドラム７１に形成する。このとき、メモリ制御部３３は、画像処理信号Ｓ１に基づいてメモリ制御信号Ｓｍ、ライトリセット信号ＷＲやリードリセット信号ＲＲ、この他にオフセット制御信号Ｓ１１を生成する。
【０１５１】
メモリ制御信号Ｓｍはワークメモリ２２に出力され、ライトリセット信号ＷＲは、ライトアドレスカウンタ２６に出力され、リードリセット信号ＲＲはリードアドレスカウンタ２７に出力され、オフセット制御信号Ｓ１１はバルブ駆動回路６８に各々出力される。タイミング発生回路２５は、タイミング制御信号Ｓ１０に基づいて点灯／消灯制御信号Ｓ２を発生するようになされる。当該信号Ｓ２はバルブ駆動回路６８に出力される。
【０１５２】
上述の画像処理部２１では、メモリ制御部３３からのメモリ制御信号Ｓｍに基づいて微小変倍画像処理を実行する。この微小変倍画像処理では、１画素単位の画像データＤINを５倍の数に増やして、当該１画素の固定及び可動リボン３，４の５ペアの画像データを出力するようになされる。画像データＤ１５はシリアルに出力される。
【０１５３】
ワークメモリ２２は、メモリ制御信号Ｓｍに基づいて画像メモリ１３から受信した、１ページ単位の画像データＤINが格納される。周波数変換部２３では、ワークメモリ２２から読み出された１画素毎の画像データＤ１を５倍の動作周波数に基づいて５倍の数の画像データＤ１５に変換する。これにより、１個（１画素）の画像データＤ１を５倍の画像データＤ１５に変換することができ、１画素を構成する５ペアのリボンペアの全てを同じ画像データＤ１５で駆動することになる。なお、周波数変換部２３を基準にして前段のワークメモリ２２と後段の２ポートメモリ２４とでは、後段の方が動作クロック信号の周波数が５倍早く設定されている。
【０１５４】
周波数変換部２３で変換された画像データＤ１５は、２ポートメモリ２４に入力される。２ポートメモリ２４では、データ書込み時、ライトアドレスカウンタ２６で示されるアドレスに、次々に画像データＤ１５が書込まれる。ライトアドレスカウンタ２６は、ライトリセット信号ＷＲに基づいてライトアドレスＲＡｄを発生して２ポートメモリ２４へ出力する。
【０１５５】
このとき、ライトアドレスカウンタ２６では、まず、メモリ制御部３３から指示されるライトリセット信号ＷＲによってＦＦ回路６０２が「０」クリアされる。ライトリセット信号ＷＲが解除されると、加算器６０１では、図示しない動作クロック信号に従って、前回のライトアドレスＷＡｄの値に「１」が加算される。これにより、ＦＦ回路６０２から２ポートメモリ２４へライトアドレスＷＡｄを出力することができる。２ポートメモリ２４では、ライトアドレスＷＡｄに基づいて５倍の数の画像データを書込むようになる。
【０１５６】
この例で、通常、２ポートメモリ２４からシフトレジスタ８１には、５倍の画像データＤ１５が繰り返し、リードアドレスＲＡｄに基づいて読み出すようになされる。画像データＤ１５は、リードアドレスカウンタ２７で示されるアドレスから読み出される。このとき、リードアドレスカウンタ２７は、リードリセット信号ＲＲに基づいてリードアドレスＲＡｄを発生して２ポートメモリ２４へ出力するようになされる。
【０１５７】
この例で、ＣＰＵ３５は、ライン間のデータ非書込み期間に、次のラインの画像データＤ１５を微小変倍率に応じて、１画素の固定及び可動のリボンのペア数を増減する（挿入間引き制御）。この挿入間引き制御時には、予め設定された微小縮小又は微小拡大モードに基づいて２ポートメモリ２４からシフトレジスタ８１には画像データＤ１５が読み出される。
【０１５８】
［微小拡大モード］  
例えば、微小拡大処理時には、拡大モード信号ＭＳ＝「１」が演算器７０４に出力される。この場合、画像処理部２１は、ライトバルブ６５の１画素の固定リボン３及び可動リボン４の５ペア分として読み出される画像データＤ１５の１ペアを続けて読み出す。このような挿入処理するデータを画像データＤ１５”とする。リードアドレスカウンタ２７では、まず、メモリ制御部３３から指示されるリードリセット信号ＲＲによって、周期パルス発生器７０１及びＦＦ回路７０６が「０」クリアされる。リードリセット信号ＲＲが解除されると、演算器７０２及び７０３では、動作クロック信号に従って、「０」、「１」、「２」のいずれかが加算される。
【０１５９】
この例では、拡大モード信号ＭＳ及び挿入周期データＴＸは共に、ＣＰＵ３５からリードアドレスカウンタ２７に指示される。ＣＰＵ３５から演算器７０４へ拡大モード信号ＭＳ＝「１」が供給され、微小拡大モードが設定されている場合であって、ＰＵＬＳＥ信号＝「１」のとき、演算器７０３で「０」が、それ以外の場合は、「１」が加算される。
【０１６０】
［微小縮小モード］  
例えば、微小縮小処理時には、拡大モード信号ＭＳ＝「０」が演算器７０４に出力される。この場合、画像処理部２１は、ライトバルブ６５の１画素の固定リボン３及び可動リボン４の５ペア分として読み出される画像データＤ１５から１ペア分を読み棄てるようになされる。このような間引き処理するデータを画像データＤ１５’とする。この例では、ＣＰＵ３５から演算器７０４へ拡大モード信号ＭＳ＝「０」が供給され、微小縮小モードが設定されている場合であって、ＰＵＬＳＥ信号＝「１」のとき、演算器７０２で「２」が、それ以外の場合は、「１」が加算される
これにより、間引き又は挿入処理が無い場合は、５倍に増加した同じ画像データＤ１５が５ペア分連続して読み出されるが、微小縮小処理時は、ところどころの固定及び可動リボン３，４が４ペアとなるような画像データＤ１５’となる。反対に、微小拡大処理時は、ところどころの固定及び可動リボン３，４が６ペアとなるような画像データＤ１５”となる。従って、リボンペア単位の微小縮小画像記録又は微小拡大画像記録が実現できるようになる。
【０１６１】
上述の２ポートメモリ２４からバルブ駆動部６８には、微小縮小処理時、固定及び可動リボン３，４が４ペアとなるような画像データＤ１５’や、微小拡大処理時に、固定及び可動リボン３，４が６ペアとなるような画像データＤ１５”が出力されるが、タイミング発生回路２５では、ＣＰＵ３５からのタイミング制御信号Ｓ１０に基づいて点灯／消灯制御信号Ｓ２を発生するようになされる。当該信号Ｓ２はバルブ駆動回路６８に出力される。この例で、光源制御信号ＳLDは、データ非書込み期間中、ＳLD＝「Ｌ」レベルが維持され、レーザー光源６３がＯＦＦされる。ライトバルブ６５は、レーザー光源６３を消灯した状態でリボン変調動作する。
【０１６２】
例えば、バルブ駆動回路６８では、５ペア１画素の可動リボン４を独立に駆動するようになされる（１画素データ／多ペア駆動方式）。このとき、シフトレジスタ８１は、通常の画像データＤ１５、微小変倍処理後のシリアルの５ペア／画素×Ｎ画素の画像データＤ５’又はＤ１５”を２ポートメモリ２４から入力して保持（ラッチ）する。ラッチ後、画像データＤ１５，Ｄ１５’，Ｄ１５”は、Ｄ／Ａコンバータ８２に出力される。
【０１６３】
Ｄ／Ａコンバータ８２はシフトレジスタ８１から、５ペア／画素×Ｎ画素のデジタルの画像データＤINをパラレルに読み出して、同様に、その可動リボン用のアナログの画像信号Ｓout’に変換する。Ｄ／Ａコンバータ８２で可動リボン用に変換されたアナログの画像信号Ｓout’は、スイッチング回路８４に出力される。また、オフセット回路８３はオフセット制御信号Ｓ１１に基づいてオフセット電圧Ｖoffをスイッチング回路８４に出力する。スイッチング回路８４では、点灯／消灯制御信号Ｓ２に基づく画像書込み期間に、５個の可動リボン用のアナログの画像信号Ｓout’に基づくオフセット電圧Ｖoffを書込み電圧Ｖｗとして、１画素が５ペアの＃１〜＃Ｎ画素のライトバルブ６５に出力する。
【０１６４】
ライトバルブ６５では、各々の画素において、微小変倍画像処理後の書込み電圧Ｖｗに基づいてＯＮ／ＯＦＦする。このライトバルブ６５のＯＮ／ＯＦＦ動作によってレーザー光Ｌを微小変倍画像処理を伴った変調ができるようになる。この変調後の０次回折光Ｌ０は、図７及び８に示したスリット６７を通過して感光体ドラム７１へ投影される。これにより、当該ライン単位の画像データＤ１５に基づく０次回折光Ｌ０を一斉に感光体ドラム７１に書込む（結像する）ことができる。
【０１６５】
そして、制御部１５は、ライン単位に結像された感光体ドラム７１を駆動部７９を介して所定方向に回転駆動する。感光体ドラム７１に形成された静電潜像は、現像制御信号Ｓ５に基づいて現像器７３によるトナーにより現像される。転写器７４では感光体ドラム７１上に形成されたトナー像を転写制御信号Ｓ７に基づいて用紙Ｐに転写し、分離器７５では、トナー像が転写された用紙Ｐを分離制御信号Ｓ８に基づいて感光体ドラム７１から分離される。定着器７８では用紙Ｐに形成されたトナー像を定着制御信号Ｓ９に基づいて定着するようになされる。定着後の用紙Ｐは排紙される。
【０１６６】
その後、ステップＳＴ１８に移行して、ＣＰＵ３５は、予め設定された複写部数を全部実行したかを判別する。予め指定された原稿２０でその複写部数の最終ページを複写した場合は、ステップＳＴ１９に移行する。その複写部数の最終ページを複写していない場合は、ステップＳＴ１６に戻り、上述した処理を繰り返すようになされる。そして、ＣＰＵ３５は、予め設定された複写部数を全部実行した場合には、ステップＳＴ１９に移行してコピー処理を終了するか否かがチェックされる。コピー処理を終了しない場合は、ステップＳＴ１１に戻ってコピー要求を待機する。コピー処理を終了する場合は、電源オフ情報等を検出して制御処理を終了する。
【０１６７】
このように、実施例としての複写機１００によれば、本発明に係る情報記録装置及び情報記録方法が応用される。画像形成時、ライトバルブ６５の５ペア／画素の固定リボン３及び可動リボン４を１ペア毎に独立して駆動するＣＰＵ３５は、微小変倍率に応じて、１画素の固定リボン３及び可動リボン４のペア数を増減する挿入間引き制御を実行する。
【０１６８】
上述した例では、ＣＰＵ３５は、１画素を微小拡大処理する場合は、微小変倍率に応じて、ライトバルブ６５で１画素の固定及び可動リボンの５ペアに１ペアを挿入し、１画素を微小縮小処理する場合は、微小変倍率に応じて、ライトバルブ６５で１画素の固定及び可動リボンの複数ペアから１ペアを間引きするようになされる。
【０１６９】
従って、１画素よりも小さい単位で画像の微小変倍処理することができ、画素単位の挿入間引き方式に比べて細線切れや、線幅ムラ等の発生を無くすことができる。しかも、用紙に形成される画像の大きさの絶対寸法又は両面形成時の用紙表裏の倍率を合わせることができ、両面画像形成時等において画質低下を防止できるようになる。
【０１７０】
上述の実施例では、白黒用のデジタル複写機の場合について説明をしたが、これに限られることはなく、カラー用のプリンタや、ファクシミリ装置、複合機等にも適用することができる。また、本発明に係る輪郭補正機能は、ライトバルブ６５に限られることはなく、従来方式のようなライトバルブ６５’でも適用できることはいうまでもない。
【産業上の利用可能性】
【０１７１】
この発明は、画像データに基づいて情報を記録する情報記録装置を有した高速画像書込み処理可能な白黒用及びカラー用のプリンタや、ファクシミリ装置、デジタル複写機、複合機等に適用して極めて好適である。
【図面の簡単な説明】
【０１７２】
【図１】本発明に係る実施例としての情報記録装置を応用した複写機１００の構成例を示す断面の概念図である。
【図２】回折格子型のライトバルブ６５の１画素の構成例を示す斜視図である。
【図３】ライトバルブ６５の全体構成例を示す平面図である。
【図４】（Ａ）及び（Ｂ）は、ライトバルブ６５における可動リボン４の動作例を示す幅方向の断面図である。
【図５】ライトバルブ６５における２画素分の動作例を示す配列方向Ｉの断面図である。
【図６】複写機１００の画像書込み部６０における露光原理を示す上面図である。
【図７】（Ａ）及び（Ｂ）は、スリット６７の大きさ及びその機能例を示す正面図である。
【図８】複写機１００の制御系の構成例を示すブロック図である。
【図９】画像処理部２１、画像書込み部６０及びその周辺回路の構成例を示すブロック図である。
【図１０】ライトアドレスカウンタ２６の構成例を示すブロック図である。
【図１１】リードアドレスカウンタ２７の構成例を示すブロック図である。
【図１２】（Ａ）〜（Ｄ）は、画像処理部２１における微小縮小処理（拡大モード＝０）時の動作例を示す図である。
【図１３】（Ａ）〜（Ｄ）は、画像処理部２１における微小拡大処理（拡大モード＝１）時の動作例を示す図である。
【図１４】画像書込み部６０における微小変倍処理例を示す図である。
【図１５】拡大モード及び間引き(挿入)周期の設定例を示すフローチャートである。
【図１６】（Ａ）及び（Ｂ）は、１画素データ／多ペア駆動方式における元画像の構成例を示す図である。
【図１７】（Ａ）及び（Ｂ）は、拡大モード＝「０」設定時の間引き後の画像例を示す図である。
【図１８】（Ａ）及び（Ｂ）は、拡大モード＝「１」設定時の挿入処理後の画像例を示す図である。
【図１９】複写機１００における複写時の動作例を示すフローチャートである。
【図２０】複写機１００による画像形成時のリボンペアの間引き（挿入）制御例を示すフローチャートである。
【図２１】従来例に係る回折格子型のライトバルブ６５’の１画素の構成例を示す斜視図である。
【図２２】ライトバルブ６５’の全体構成例を示す平面図である。
【図２３】従来例に係る画像書込み部６０’における露光原理を示すブロック図である。
【図２４】従来例に係る画像書込み系１０の構成例を示すブロック図である。
【図２５】（Ａ）及び（Ｂ）は、画素単位駆動方式における元画像の構成例を示す図である。
【図２６】（Ａ）及び（Ｂ）は、画素単位の間引き処理後の画像例を示す図である。
【図２７】（Ａ）及び（Ｂ）は、画素単位の挿入処理後の画像例を示す図である。
【符号の説明】
【０１７３】
１  シリコン基板  
２  共通電極
３  固定リボン
４  可動リボン
１１  原稿読取部
１２  記憶部
１３  画像メモリ
１４  操作設定部
１５  制御部
１８  表示部  
２１  画像処理部
３０  給紙部
３５  ＣＰＵ（制御部）
４８  操作パネル（表示部＋操作部）
６０  画像書込み部（画像形成部）
６３  レーザー光源
６５  ライトバルブ
６７  スリット
７０  画像形成部
７９  駆動部
１００  複写機
【図１】
2007050547.tif 000003
【図２】
2007050547.tif 000004
【図３】
2007050547.tif 000005
【図４】
2007050547.tif 000006
【図５】
2007050547.tif 000007
【図６】
2007050547.tif 000008
【図７】
2007050547.tif 000009
【図８】
2007050547.tif 000010
【図９】
2007050547.tif 000011
【図１０】
2007050547.tif 000012
【図１１】
2007050547.tif 000013
【図１２】
2007050547.tif 000014
【図１３】
2007050547.tif 000015
【図１４】
2007050547.tif 000016
【図１５】
2007050547.tif 000017
【図１６】
2007050547.tif 000018
【図１７】
2007050547.tif 000019
【図１８】
2007050547.tif 000020
【図１９】
2007050547.tif 000021
【図２０】
2007050547.tif 000022
【図２１】
2007050547.tif 000023
【図２２】
2007050547.tif 000024
【図２３】
2007050547.tif 000025
【図２４】
2007050547.tif 000026
【図２５】
2007050547.tif 000027
【図２６】
2007050547.tif 000028
【図２７】
2007050547.tif 000029